(57)【要約】【課題】  不在着信に気づかないまま長時間放置されるのを防止することが可能な携帯無線端末を提供する。【解決手段】  携帯無線端末は、発呼者を識別するための識別情報の受信を検出する受信検出手段（Ｓ０１）と、識別情報の受信に応じて、受信をユーザに報知する報知手段（Ｓ０２）と、ユーザによる通話動作への切替指示を検出する切換指示検出手段（Ｓ０３）と、報知手段による報知が終了するまでに切換指示が検出されない不在着信を検出する不在着信検出手段（Ｓ０６でＹＥＳ）と、検出された不在着信の識別情報を記憶する識別情報記憶手段と、不在着信検出手段により不在着信を検出してからの経過時間を計時する計時手段（Ｓ０８）と、計時手段により所定時間が計時される前に、識別情報記憶手段に記憶された識別情報を出力する指示が検出されなかった場合、再度報知する再報知手段（Ｓ０９）とを備える。【選択図】        図２
2005150817.tif 000002
【特許請求の範囲】
【請求項１】
発呼者を識別するための識別情報の受信を検出する受信検出手段と、
前記識別情報の受信に応じて、前記受信をユーザに報知する報知手段と、
ユーザによる通話モードへの切換指示を検出する切換指示検出手段と、
前記報知手段による報知が終了するまでに前記切換指示が検出されない不在着信を検出する不在着信検出手段と、
前記検出された不在着信の識別情報を記憶する識別情報記憶手段と、
前記不在着信検出手段により不在着信を検出してからの経過時間を計時する計時手段と、
前記計時手段により所定時間が計時される前に、前記識別情報記憶手段に記憶された識別情報を出力する指示が検出されなかった場合、再度報知する再報知手段とを備えた、携帯無線端末。
【請求項２】
前記不在着信検出手段は、前記報知手段による報知が終了するまでに留守番電話モードへの切換指示が検出された不在着信をさらに検出する、請求項１記載の携帯無線端末。
【請求項３】
通信の相手側から送信されてきたデータを受信する受信手段と、
前記受信されたデータを記憶するデータ記憶手段と、
前記受信手段によるデータの受信に応じて、該データ受信をユーザに報知する受信報知手段と、
前記受信手段によりデータが受信されてからの経過時間計時を計時する計時手段と、
前記計時手段により所定時間が計時される前に、前記データ記憶手段に記憶したデータの出力指示が検出されなかった場合、再度報知する再報知手段とを備えた、携帯無線端末。
【請求項４】
予め指定された識別情報を記憶する指定識別情報記憶手段をさらに備え、
前記再報知手段は、前記指定識別情報記憶手段に記憶された識別情報のみについて、再度報知する、請求項１または２に記載の携帯無線端末。
【請求項５】
前記受信されたデータに含まれる相手先の識別情報を抽出する識別情報抽出手段と、
予め指定された識別情報を記憶する指定識別情報記憶手段とをさらに備え、
前記再報知手段は、前記指定識別情報記憶手段に記憶された識別情報のみについて、再度報知する、請求項３に記載の携帯無線端末。
【請求項６】
前記再報知手段は、複数種類の報知動作が実行可能であり、
前記指定識別情報記憶手段は、識別情報に前記複数種類の報知動作のいずれかを関連付けて記憶し、
前記再報知手段は、前記指定識別情報記憶手段に前記識別情報と関連付けて記憶された報知動作で再報知する、請求項４または５に記載の携帯無線端末。
【請求項７】
前記再報知手段は、前記再報知を繰返し、前記所定時間よりも長い再報知終了時間が経過するまで、または繰返し回数が所定回数に達するまで繰返す、請求項１または３に記載の携帯無線端末。
【発明の詳細な説明】
【技術分野】
【０００１】
本発明は、携帯無線端末の着信通知方法に関する。
【背景技術】
【０００２】
従来の携帯無線端末の着信を報知する手段としては、設定された着信音の出力や振動子の振動が挙げられる。特開平１１−１６３９７１号公報（特許文献１）には、無線電話端末に着信があったときに可聴音を発生させて着信を通知する無線電話端末の着信通知方式において、着呼した番号が予め無線電話端末に記憶された番号と一致したとき、その番号に対応して記憶されている発信者名を音声出力する音声再生手段を具備した無線電話端末の着信通知方式が記載されている。しかし着信時に報知するだけでは、着信があったことを忘れてしまう、あるいは着信があったことに気づかない恐れがある。
【０００３】
そこで着信があったことを表示する技術として、特開２００１−２７４８６６（特許文献２）には、本体と該本体に開閉可能に取り付けられているカバー部材とを具備する折畳携帯電話機の不在時着信表示機であって、不在着信表示を閉じた状態で確認できる第１の不在着信表示手段と、開いた状態で確認することのできる第２の不在着信表示手段とでおこなうことを特徴とする折畳型携帯電話機の不在時着信通知装置が記載されている。
【特許文献１】特開平１１−１６３９７１号公報
【特許文献２】特開２００１−２７４８６６
【発明の開示】
【発明が解決しようとする課題】
【０００４】
しかしながら、特開２００１−２７４８６６では、ユーザが不在着信に気がつくには、不在着信表示を目で見て確認しなければならない。目で見て初めて気づくため、不在着信を見て確認できない場合、例えばカバンあるいはポケットの中に端末を入れてある場合には、不在着信に気づかないまま長時間放置するという事態が生じる恐れがある。また、不在着信に気づいていても、後で応答しようとしてそのまま忘れてしまうという事態が生じる恐れもある。
【０００５】
本発明は、かかる問題を解決するためになされたもので、この発明の目的の１つは、不在着信に気づかないまま長時間放置されるのを防止することが可能な携帯無線端末を提供することである。
【課題を解決するための手段】
【０００６】
上記目的を達成するために本発明のある局面に従うと、携帯無線端末は、発呼者を識別するための識別情報の受信を検出する受信検出手段と、識別情報の受信に応じて、受信をユーザに報知する報知手段と、ユーザによる通話モードへの切換指示を検出する切換指示検出手段と、報知手段による報知が終了するまでに切換指示が検出されない不在着信を検出する不在着信検出手段と、検出された不在着信の識別情報を記憶する識別情報記憶手段と、不在着信検出手段により不在着信を検出してからの経過時間を計時する計時手段と、計時手段により所定時間が計時される前に、識別情報記憶手段に記憶された識別情報を出力する指示が検出されなかった場合、再度報知する再報知手段とを備える。
【０００７】
この発明に従えば、報知手段により受信を報知し、報知が終了するまでにユーザによる通話動作への切換指示が検出されない場合に不在着信となる。さらに不在着信後、識別情報を出力する指示が検出されることなく所定時間が経過すると再度報知する。所定時間経過後に再度報知されるためユーザは、最初の報知時に不在または着信に気づかないなどの理由により通話できない場合でも、後で不在着信があったことを簡単に知ることができる。その結果、不在着信に気づかないまま長時間放置されるという事態を防止することが可能な携帯無線端末を提供できる。
【０００８】
好ましくは、不在着信検出手段は、報知手段による報知が終了するまでに留守番電話モードへの切換指示が検出された不在着信をさらに検出する。
【０００９】
この発明に従えば、報知手段による報知が終了するまでに留守番電話モードへの切換指示が検出された場合、不在着信と判断し、識別情報を出力する指示が検出されることなく所定時間が経過すると再度報知する。留守番モードへ切換えられた場合であっても、所定時間経過後に再度報知されるため、不在着信に気づかないまま長時間放置されるという事態を防止することが可能な携帯無線端末を提供できる。
【００１０】
この発明の別の局面に従うと、携帯無線端末は、通信の相手側から送信されてきたデータを受信する受信手段と、受信されたデータを記憶するデータ記憶手段と、受信手段によるデータの受信に応じて、該データ受信をユーザに報知する受信報知手段と、受信手段によりデータが受信されてからの経過時間計時を計時する計時手段と、計時手段により所定時間が計時される前に、データ記憶手段に記憶したデータの出力指示が検出されなかった場合、再度報知する再報知手段とを備える。
【００１１】
この発明に従えば、データ受信を報知した後、データ受信されてから所定時間が経過する前に、データの出力指示が検出されなかった場合、再度報知する。
【００１２】
所定時間経過後に再度報知されるため、ユーザは、データ受信時に不在または受信に気づかなかった場合でも、後でデータを受信したことを知ることができる。その結果、データ受信に気づかないまま長時間放置されるという事態を防止することが可能な携帯無線端末を提供することができる。
【００１３】
好ましくは、予め指定された識別情報を記憶する指定識別情報記憶手段をさらに備え、再報知手段は、指定識別情報記憶手段に記憶された識別情報のみについて、再度報知する。
【００１４】
この発明に従えば、指定された識別情報からの着信についてのみ、再度報知する。このため、ユーザは指定した相手からの着信に対してのみ再報知するよう設定でき、不要な再報知にわずらわされることがない。
【００１５】
好ましくは、受信されたデータに含まれる相手先の識別情報を抽出する識別情報抽出手段と、予め指定された識別情報を記憶する指定識別情報記憶手段とをさらに備え、再報知手段は、指定識別情報記憶手段に記憶された識別情報のみについて、再度報知する。
【００１６】
この発明に従えば、指定された識別情報の相手からのデータ受信についてのみ、再度報知する。このため、ユーザは指定した相手からのデータ受信に対してのみ再報知するよう設定でき、不要な再報知にわずらわされることがない。
【００１７】
好ましくは、再報知手段は、複数種類の報知動作が実行可能であり、指定識別情報記憶手段は、識別情報に複数種類の報知動作のいずれかを関連付けて記憶し、再報知手段は、指定識別情報記憶部に識別情報と関連付けて記憶された報知動作で再報知する。
【００１８】
この発明に従えば、報知動作と識別情報とが関連付けて記憶される。このため、ユーザは再報知されると電話の着信か、データの受信か、誰からの着信があったかを知ることができる。
【００１９】
好ましくは、再報知手段は、再報知を繰返し、所定時間よりも長い再報知終了時間が経過するまで、または繰返し回数が所定回数に達するまで繰返す。
【００２０】
この発明に従えば、再報知を、再報知終了時間が経過するまで、または繰返し回数が所定回数に達するまで繰返す。このため、ユーザは再報知する時間または回数を指定することで、いつまでも再報知されることがない。
【発明を実施するための最良の形態】
【００２１】
以下、本発明の実施の形態について図面を参照しながら説明する。なお、図中同一符号は同一または相当する部材を示し、重複する説明は繰り返さない。
【００２２】
＜第１の実施の形態＞
図１は、本発明の携帯無線端末の、第１の実施の形態である折畳式携帯電話の概略構成を示すブロック図である。図１を参照して、携帯電話１００は、全体の制御を行なう制御部１３と、それに結合された、通信回路部２と、キー入力部３と、開閉状態検出部４と、音声処理部５と、表示部８と、振動部９と、記憶部１０と、ＬＥＤ（Light Emitting Diode）１４とを含む。さらに、通信回路部２と結合されたアンテナ１と、音声処理部５に結合されたスピーカ６と、マイク７とを含む。
【００２３】
通信回路部２はアンテナ１を介して信号を送受信する。音声処理部５は通信回路部２で送受信する信号を処理し、スピーカ６から処理された信号を音として出力するとともに、マイク７から音声を集音する。これにより携帯電話としての通話機能を実現する。また、スピーカ６は着呼等の情報を音によりユーザに報知する手段としても用いられる。同様に、振動部９は振動子による振動により、ＬＥＤ１４は点滅により、着呼等の情報をユーザに報知する。
【００２４】
キー入力部３は、複数のキーからなり、テンキーと、電源切換スイッチと、通話モードへ切換えるための通話開始キーと、留守番電話モードへ切換えるための留守番電話キーと、受信データを出力させる受信データ出力キー等を含み、数字や文字等の入力および、通話モードと留守番電話モード等の切換えに用いられる。
【００２５】
表示部８はＬＣＤ（Liquid Crystal Display）等の表示装置であり、キー入力部３によって入力されたデータ、端末に記憶された各種データおよび設定情報等を表示する。また
文字あるいは絵文字による表示により、着呼等の情報を報知する。
【００２６】
開閉状態検出部４は本実施形態の折畳式携帯電話の、端末本体の開閉状態を検出する機能を持つ。開閉状態検出部４で検出した開閉状態に応じて、制御部１３は、通話の開始と終了などの切換処理、表示部８の表示と非表示の切換処理等を行なう。
【００２７】
記憶部１０は各種設定情報等を記憶しておくメモリである。ここで、記憶部１０に記憶される設定情報は報知動作を含む。報知動作は、報知装置ごとの動作パターンを定義する。報知装置は、表示部８と、振動部９と、スピーカ６と、ＬＥＤ１４とを含む。
【００２８】
表示部８の動作パターンは、電話番号を表示するパターンと表示しないパターンがある。振動部９の動作パターンは振動子の所定時間あたりの振動時間と非振動時間とで規定される。振動部９の動作パターンは振動子を振動させないパターンも含む。スピーカ６の動作パターンは、予め登録してある複数の音だけのパターンがある。スピーカ６の動作パターンは音を出力しないパターンを含む。ＬＥＤ１４の動作パターンは、所定時間あたりの発光時間と非発光時間で規定される。また、ＬＥＤ１４の動作パターンは発光しないパターンを含む。
【００２９】
また、記憶部１０は、発呼者の識別情報を記憶する識別情報記憶部１１と、予め再報知の対象とする識別情報等を記憶しておく、指定識別情報記憶部１２とを含む。
【００３０】
識別情報記憶部１１は、受信された識別情報と、それが受信された受信時刻、とを関連付けて記憶する。本実施の形態では識別情報は発呼者の電話番号としている。指定識別情報記憶部１２は、再報知対象の指定識別情報と再報知情報とを関連付けて記憶する。指定識別情報とは、ユーザにより指定された識別情報であり、ユーザが再報知を所望する識別情報である。本実施の形態における携帯電話１００は、指定識別情報記憶部１２に記憶された指定識別情報と、識別情報記憶部１１に記憶された識別情報が一致した場合に再報知する。従って、ユーザは所望する相手からの着呼に対してのみ再報知させることができる。なお、指定識別情報を用いることなく、すべての着信に対して再報知するようにしてもよい。この場合には指定識別情報記憶部１２は不要である。
【００３１】
ここで再報知とは、報知動作中にユーザから回線接続する指示（通話モードへの切換指示）が検出されずに通信終了した場合、再報知情報に従って再度報知することである。
【００３２】
再報知情報は、再報知間隔と、再報知動作と、再報知時間と、終了条件とを含む。
【００３３】
再報知間隔は、報知または再報知が終了してから次の再報知を開始するまでの時間である。
【００３４】
再報知動作は、再報知の際の報知動作である。従って再報知動作は上述した報知動作報知動作と同じである。別の形態として、指定識別情報記憶部１２に再報知動作を上述した報知動作と異ならせて記憶するようにしてもよい。これにより、１つの着呼に対して最初の報知動作とその後の再報知動作を異ならせることができる。
【００３５】
再報知時間は再報知動作の実行時間であり、１回の再報知はこの時間だけ行なわれる。
【００３６】
終了条件は、再報知を終了させるための条件である。終了条件は、報知を繰り返す最大回数と、再報知を終了させるまでの予め定めた再報知終了時間とを含む。本実施の形態では、再報知が、最大回数まで繰り返された場合に終了するとしている。別の形態として、再報知処理が再報知終了時間を超えた場合に再報知を終了するとしてもよい。さらに、これらの条件の一方が満たされるか、あるいは両方ともに満たされれば再報知を終了するようにしてもよい。
【００３７】
携帯電話１００は、基地局からの信号をアンテナ１で受信し、通信回路部２を経て制御部１３で処理する。制御部１３が基地局からの着信呼び出し信号を検出すると、携帯電話１００は、ユーザに着呼を報知する。着呼時に、発呼者の電話番号が通知されている場合には、制御部１３は、識別情報記憶部１１に電話番号を記憶するとともに、表示部８に電話番号を表示する。
【００３８】
制御部１３は、報知動作中にユーザがキー入力部３の通話開始キーの操作、すなわち通話モードへの切換指示を検出すると、回線を接続する。回線が接続されると、ユーザと発呼者との通話が可能となる。
【００３９】
報知動作中にユーザからの通話モードへの切換指示が検出されず、かつ、基地局からの着信呼び出し信号の終了を検出したときに、制御部１３は報知動作を終了させ不在着信と判断する。ここで、基地局からの着信呼び出し信号の終了は、発呼者が通信を終了したことを意味する。
【００４０】
制御部１３は不在着信と判断すると、表示部８に不在着信があったことを表示する。不在着信の表示方法は、表示部８に文字また絵文字を表示させる。またこれに加えて、表示部８またはＬＥＤ１４を点滅させるなどの方法がある。
【００４１】
さらに、携帯電話１００は留守番電話機能を有する。留守番電話機能は（１）予め留守番電話モードに設定しておく、（２）着呼後ユーザがキー入力部３の留守番電話キーの操作、すなわち留守番電話モードへの切換指示により留守番電話モードへ切換える、という２通りの使用方法がある。（１）の場合、制御部１３は、着呼が検出され指定時間が経過すると留守番電話モードへの切換指示が入力されたと判断する、（２）の場合はユーザの切換え指示をそのまま検出する。このように、留守番電話モードへの切換指示の入力が検出されると、制御部１３は報知動作を終了させ不在着信と判断する。また報知動作中に、回線切断を検出したときも、制御部１３は報知動作を終了させ不在着信と判断する。
【００４２】
さらに携帯電話１００は不在着信後、識別情報を出力する指示が検出されることなく再報知間隔で指定した時間が経過すると再報知動作を実行する。なお、再報知終了後は待機状態となる。
【００４３】
次に本実施の形態における携帯電話１００での報知動作および再報知動作の処理に関して説明する。ここで本実施の形態では、発呼者の電話番号は電話番号Ａであり、指定識別情報記憶部１２に電話番号Ａがユーザにより指定されて記憶されているとする。また、電話番号Ａと関連付けて、再報知動作「報知動作１」と、再報知時間「１５秒」と、再報知間隔「５分毎」と、終了条件「３回報知」とが指定識別情報記憶部１２に記憶されているとする。また、記憶部１０には報知動作１が記憶されているとする。
【００４４】
報知動作１は、表示部８の動作パターンを「電話番号を表示するパターン」とし、振動部９の動作パターンを「振動子の所定時間あたりの振動時間１と非振動時間１とで規定される振動パターン１」とし、スピーカ６の動作パターンは、「音のパターン１」とし、ＬＥＤ１４の動作パターンは、「所定時間あたりの発光時間１と非発光時間１で規定される発光パターン１」とする。
【００４５】
図２は、本実施の形態における報知動作に関し、制御部１３での処理の流れを示すフローチャートである。図２を参照して、ステップＳ０１では、電話の着呼を検出する。着呼が検出された場合にはステップＳ０２に進み、検出されない場合は、待機状態となる。なお、着呼時に、発呼者の電話番号が受信された場合には識別情報記憶部１１に発呼者の識別情報を記憶する。
【００４６】
ステップＳ０２では報知動作を開始する。ここでは報知動作１を用いて報知する。報知動作は、受信された発呼者の識別情報と、予め指定識別情報記憶部１２に指定した識別情報とが一致した場合と一致しない場合とで、記憶部１０に記憶した報知動作から異なるものを割り当てることが可能である。これにより、ユーザは指定した発呼者であるかを報知動作により知ることができる。
【００４７】
ステップＳ０３、ステップＳ０４、ステップＳ０６では不在着信を検出する。まず、ステップＳ０３では通話モードへの切換指示が検出されたか否かを判定する。着信報知中に切換指示が検出されない場合（Ｓ０３でＮＯの場合）、ステップＳ０４に進む。ステップＳ０４では、留守番電話モードへの切換指示が出されているかを検出する。留守番電話モードへの切換指示が検出されない場合（Ｓ０４でＮＯの場合）、ステップＳ０６に進む。ステップＳ０６では通信相手の通信終了を検出する。通信終了を検出した場合（Ｓ０６でＹＥＳの場合）には、制御部１３は不在着信と判定しステップＳ０７に進む。通信終了を検出できない場合（Ｓ０６でＮＯの場合）はステップＳ０３に戻り、処理を繰り返す。
【００４８】
なお、ステップＳ０３において、通話モード切換指示を検出するとステップＳ０５に進む。ステップＳ０５では報知動作を停止し、ユーザが通話を開始する。通話終了後は処理を終了し、待機状態に戻る。また、ステップＳ０４で留守番電話モードへの切換指示が検出されると（Ｓ０４でＹＥＳの場合）、ステップＳ０７に進む。
【００４９】
ステップＳ０４またはステップＳ０６から、ステップＳ０７に進むと、報知動作を終了し、不在着信と判定する。報知動作の終了は、表示部８の電話番号表示を終了し、振動部９の振動子を停止し、スピーカ６からの音の出力を停止し、ＬＥＤ１４の発光を停止することである。なお、留守番電話モードでは報知動作終了後も、通信相手の通信終了まで次のステップへの遷移を待機する。その後ステップＳ０８に進む。
【００５０】
また、留守番電話モードでは、着呼時には報知動作を行なわず、再報知動作は実行するということも可能である。
【００５１】
ステップＳ０８では通信終了からの経過時間ｔ１の計時を開始し、再報知処理ステップＳ０９へと進む。
【００５２】
図３は、本実施の形態における再報知動作の処理の流れを示すフローチャートである。図３を参照して、ステップＳ１１では、発呼者の識別情報が受信されたかを検出する。これは識別情報記憶部１１に発呼者の識別情報が記憶されているかどうかで判断する。識別情報が記憶されている場合ステップＳ１２に進む（Ｓ１１でＹＥＳの場合）。識別情報が記憶されていない場合、つまり発呼者が非通知設定で通信した場合等、は再報知処理を終了して待機状態に戻る。
【００５３】
ステップＳ１２では、受信された識別情報と、指定識別情報記憶部１２に指定された識別情報とが一致するかを判定する。一致する場合はステップＳ１３に進む（Ｓ１２でＹＥＳの場合）。一致しない場合は再報知処理を終了して待機状態に戻る。ここでは、発呼者の識別番号は電話番号Ａであり指定識別情報記憶部１２には電話番号Ａが記憶されているため、ステップＳ１３に進む。
【００５４】
ステップＳ１３、ステップＳ１４では再報知までの所定の時間の経過を計時する。まず、ステップＳ１３ではキー入力部３により不在着信の識別情報を出力する指示を検出する。不在着信の識別情報を出力する指示が検出されない場合（Ｓ１３でＮＯの場合）、ステップＳ１４に進む。識別情報の出力指示とは、報知または再報知の有無に関係なく、ユーザが、記憶された識別情報を出力させる操作である。
【００５５】
ついで、ステップＳ１４では所定の時間が経過したかを判定する。所定の時間とは指定識別情報記憶部１２に予め記憶してある再報知間隔Ｔ１である。図２のステップＳ０８で、相手が通信を終了してからの経過時間ｔ１を計時している。経過時間ｔ１が再報知間隔Ｔ１を超えたとき、再報知すべき時間が経過したと判断できる。ステップＳ１３とステップＳ１４の処理を繰り返し、ｔ１＞Ｔ１となるとステップＳ１５に進む。なお、ステップＳ１３において、キー入力部３により識別情報出力指示が検出されると、ステップＳ１６に進む。ステップＳ１６では識別情報を出力し、操作終了後は待機状態に戻る。
【００５６】
ここで識別情報の出力は、通信回路部２への出力と、音声処理部５への出力と、表示部８への出力とを含む。通信回路部２への出力とは、識別情報記憶部１１に記憶した電話番号に発信することである。音声処理部５への出力とは、識別情報記憶部１１に記憶した電話番号を、音声処理部を介してスピーカ６から電話番号を音声出力することである。表示部８への出力とは、識別情報記憶部１１に記憶した電話番号を表示することである。また、音声処理部５への出力として、留守番電話モードにおいて録音されたメッセージの出力を含めてもよい。
【００５７】
ステップＳ１５、ステップＳ１７、ステップＳ１８では指定された動作で再報知する。再報知は、指定識別情報記憶部１２に指定識別情報に対応付けて記憶されている再報知間隔、再報知動作、再報知時間、終了条件に従う。
【００５８】
ステップＳ１５では、電話番号Ａの場合に指定された再報知動作「報知動作１」を開始し、ステップＳ１７に進む。
【００５９】
ステップＳ１７では識別情報出力指示の有無を検出する。識別情報出力指示が検出された場合はステップＳ１６に進み、識別情報を出力し、操作終了後は待機状態に戻る。検出されない場合はステップＳ１８に進む。
【００６０】
ステップＳ１８では再報知を停止すべきかを判定する。ここでは再報知時間「１５秒」であるので、再報知時間が１５秒をこえる(Ｓ１８でＹＥＳの場合)とステップＳ１９に進む。１５秒以下の場合ステップＳ１７に戻り、処理を繰り返す。
【００６１】
ステップＳ１９では再報知動作を一旦停止し、ステップＳ２０へと進む。
【００６２】
ステップＳ２０では、終了条件に合致しているかを調べ、合致していたら待機状態に戻り、合致しなければステップＳ２１へと進む。ここでは、終了条件は「３回報知」としているので、１回目の再報知、２回目の再報知では、終了条件に合致せずステップＳ２１に進む。
【００６３】
ステップＳ２１では次に再報知するための時間を測定するため経過時間ｔ１をリセットし、ステップＳ１３に戻る。
【００６４】
ステップＳ１３からステップＳ２０までの処理を繰り返し、３回再報知した場合には終了条件に合致し(Ｓ２０でＹＥＳの場合)、再報知処理を終了し初期状態に戻る。
【００６５】
なお、不在着信が複数となった場合には、最初の不在着信を基準として再報知を行なう、あるいは最後の不在着信を基準として再報知を行なう、または、指定識別情報に応じて対応する再報知を個別に行なうなど、再報知処理を選択可能としてもよい。
【００６６】
以上説明したように、本実施の形態によれば、相手の通信終了から所定時間経過後に再度報知されるため、ユーザは、最初の報知時に通話できない場合でも、後で不在着信があったことを知ることができる。その結果、不在着信に気づかないまま長時間放置されるのを防止することが可能となる。
【００６７】
また、留守番電話モードへ切換えられた場合であっても、所定時間経過後に再度報知されるため、留守番電話モードで録音されたメッセージに気づかないまま、長時間放置されるのを防止することが可能となる。
【００６８】
また、ユーザは指定した相手からの着呼に対してのみ再報知するよう設定できるため、不要な再報知にわずらわされることがない。
【００６９】
また、識別情報に複数種類の報知動作のいずれかを関連付けて記憶し、再報知手段は、指定識別情報に関連付けて記憶された報知動作で再報知するため、ユーザは再報知されると誰からの着呼があったかを知ることができる。
【００７０】
また、再報知する時間または回数を指定することで、いつまでも再報知されることがない。
【００７１】
＜第２の実施の形態＞
本発明の携帯無線端末の、第２の実施の形態である折畳式携帯電話は、電子メールの受信機能を持つ。図４は、本実施の形態である折畳式携帯電話の概略構成を示すブロック図である。第２の実施の形態は、第１の実施の形態の折畳式携帯電話にデータ受信機能が追加され、電子メールの受信が可能になったものである。ここでは追加された機能に関する説明のみ行なう。
【００７２】
図４を参照して、携帯電話１００Ａの記憶部１０は、受信データを記憶する受信データ記憶部１５を含む。受信データ記憶部は、さらに、受信データに関連付けてデータ受信時刻を記憶する。また、記憶部１０は、標準で使用する報知動作および報知時間を記憶する。また、識別情報記憶部１１は識別情報としてメールアドレスを記憶する。また、指定識別情報記憶部１２は、再報知対象の指定識別情報としてメールアドレスを記憶する。
【００７３】
携帯電話１００Ａは、基地局からの信号をアンテナ１で受信し、通信回路部２を経て制御部１３で処理する。制御部１３が基地局からのデータ送信信号を検出すると、データを受信する。制御部１３は受信データを受信データ記憶部１５に記憶完了すると、ユーザにデータが受信されたことを報知する。
【００７４】
制御部１３は、報知動作中にユーザがキー入力部３の受信データ出力キーの操作、すなわち受信データ出力指示を検出すると、報知動作を停止して、受信データを出力する。ここで、受信データ出力指示とは、報知または再報知の有無に関係なく、ユーザが、記憶された識別情報を出力させる操作である。
【００７５】
受信データ出力指示が検出されないまま所定時間が経過すると、制御部１３は報知動作を停止させ、表示部８にデータ受信があったことを表示する。データ受信の表示方法は、表示部８に文字また絵文字を表示させる。またこれに加えて、表示部８またはＬＥＤ１４を点滅させるなどの方法がある。
【００７６】
さらに、受信データの記憶完了後、受信データ出力指示が検出されないまま再報知間隔で指定した時間が経過すると再報知動作を実行する。なお、再報知終了後は待機状態となる。
【００７７】
次に、本実施の形態における携帯電話１００Ａでの報知動作および再報知動作の処理に関して説明する。ここで本実施の形態では、データ送信者のメールアドレスはメールアドレスＡであり、指定識別情報記憶部１２にはメールアドレスＡがユーザにより指定されて記憶されているとする。また、メールアドレスＡに関連付けて、再報知動作「報知動作３」と、再報知時間「１５秒」と、再報知間隔「５分毎」と、終了条件「３回報知」とが指定識別情報記憶部１２に記憶されているとする。また、記憶部１０には「報知動作２」と、「報知動作３」と、標準で使用する報知動作「報知動作２」と、報知時間「１０秒」とが記憶されているとする。
【００７８】
報知動作２は、表示部８の動作パターンを「メールアドレスを表示しないパターン」とし、振動部９の動作パターンを「振動子の所定時間あたりの振動時間２と非振動時間２とで規定される振動パターン２」とし、スピーカ６の動作パターンは、「音なし」とし、ＬＥＤ１４の動作パターンは、「所定時間あたりの発光時間２と非発光時間２で規定される発光パターン２」とする。
【００７９】
報知動作３は、表示部８の動作パターンを「メールアドレスを表示するパターン」とし、振動部９の動作パターンを「振動子の所定時間あたりの振動時間３と非振動時間３とで規定される振動パターン３」とし、スピーカ６の動作パターンは、「音のパターン３」とし、ＬＥＤ１４の動作パターンは、「所定時間あたりの発光時間３と非発光時間３で規定される発光パターン３」とする。
【００８０】
図５は、本実施の形態における報知動作に関し、制御部１３での処理の流れを示すフローチャートである。図５を参照して、ステップＳ３１では、データ受信を検出する。データ受信が検出された場合にはステップＳ３２に進み、検出されない場合は、待機状態となる。
【００８１】
ステップＳ３２では、受信したデータとデータ受信時刻とを関連付けて受信データ記憶部１５に記憶する。記憶完了するとステップＳ３３に進む。
【００８２】
ステップＳ３３では、受信データ記憶完了からの経過時間ｔ２の計時を開始し、ステップＳ３４へと進む。
【００８３】
ステップＳ３４では報知動作を開始する。ここでは報知動作２を用いて報知する。
【００８４】
ステップＳ３５、ステップＳ３６では報知中の受信データ出力指示の検出を行なう。まず、ステップＳ３５では受信データ出力指示が検出されない場合（Ｓ３５でＮＯの場合）、ステップＳ３６に進む。
【００８５】
ステップＳ３６では報知の停止を検出する。予め記憶部１０に設定した報知時間で報知停止を判定する。ここでは報知時間「１０秒」のため、１０秒を超えた場合（Ｓ３６でＹＥＳの場合）には報知停止と判定しステップＳ３８に進む。１０秒以下の場合（Ｓ３６でＮＯの場合）はステップＳ３５に戻り、処理を繰り返す。
【００８６】
なお、ステップＳ３５において、受信データ出力指示を検出するとステップＳ３７に進む。ステップＳ３７では報知動作を停止し、受信データを出力する。ここで受信データの出力は、音声処理部５への出力と、表示部８への出力とを含む。音声処理部５への出力とは、受信データ記憶部１５に記憶したメールの内容を、音声処理部を介してスピーカ６から音声合成により出力することである。表示部８への出力とは、受信データ記憶部１５に記憶したメールの内容を表示することである。受信データ出力後は処理を終了し、待機状態に戻る。
【００８７】
ステップＳ３８では報知動作を停止する。その後再報知処理ステップＳ３９に進む。
【００８８】
ここでの報知動作の停止は、振動部９の振動子を停止し、ＬＥＤ１４の発光を停止することである。
【００８９】
図６は、本実施の形態における再報知動作の処理の流れを示すフローチャートである。図６を参照して、ステップＳ４１では、受信したデータから識別情報を抽出し、識別情報記憶部１１に送信者の識別情報を記憶する。ここでは送信者の識別情報であるメールアドレスＡが記憶される。ついで、ステップＳ４２に進む。
【００９０】
ステップＳ４２では、受信したデータから抽出した識別情報が、指定識別情報記憶部１２に指定された識別情報と一致するかを判定する。一致する場合はステップＳ４３に進む（Ｓ４２でＹＥＳの場合）。一致しない場合は再報知処理を終了して待機状態に戻る。ここででは、受信データのメールアドレスはメールアドレスＡであり、指定識別情報記憶部１２にはメールアドレスＡが記憶されているため、ステップＳ４３に進む。
【００９１】
ステップＳ４３、ステップＳ４４では再報知までの所定の時間の経過を計時する。まず、ステップＳ４３ではキー入力部３の受信データ出力キーの操作を検出する。受信データ出力指示が検出されない場合（Ｓ４３でＮＯの場合）、ステップＳ４４に進む。ついで、ステップＳ４４では所定の時間が経過したかを判定する。所定の時間とは指定識別情報記憶部１２に予め設定してある再報知間隔Ｔ２である。図５のステップＳ３３で、データの記憶が完了してからの経過時間ｔ２を計時している。経過時間ｔ２が再報知間隔Ｔ２を超えたとき、再報知すべき時間が経過したと判断する。
【００９２】
ステップＳ４３とステップＳ４４の処理を繰り返し、ｔ２＞Ｔ２となるとステップＳ４５に進む。なお、ステップＳ４３において、受信データ出力指示が検出されると、ステップＳ４６に進む。ステップＳ４６では受信データを出力し、操作終了後は待機状態に戻る。
【００９３】
ステップＳ４５、ステップＳ４７、ステップＳ４８では再報知する。再報知は、指定識別情報記憶部１２に指定識別情報に対応付けて記憶されている再報知間隔、再報知動作、各再報知時間、終了条件に従う。
【００９４】
ステップＳ４５では、メールアドレスＡと対応付けられた再報知動作「報知動作３」を開始する。次にステップＳ４７に進む。
【００９５】
ステップＳ４７では受信データ出力指示の有無を検出する。受信データ出力指示が検出された場合はステップＳ４６に進み、受信データを出力し、操作終了後は待機状態に戻る。検出されない場合はＳ４８に進む。
【００９６】
ステップＳ４８では再報知を停止すべきかを確認する。ここでは再報知時間「１５秒」であるので、再報知時間が１５秒をこえる(Ｓ４８でＹＥＳの場合)とステップＳ４９に進む。１５秒以下の場合ステップＳ４７に戻り、処理を繰り返す。
【００９７】
ステップＳ４９では再報知動作を一旦停止し、ステップＳ５０へと進む。
【００９８】
ステップＳ５０では、終了条件に合致しているかを調べ、合致していたら待機状態に戻り、合致しなければステップＳ５１へと進む。ここでは、終了条件は「３回報知」としているので、１回目の再報知、２回目の再報知では、終了条件に合致せずステップＳ５１に進む。
【００９９】
ステップＳ５１では、次に再報知を行なうための時間を測定するため経過時間ｔ２をリセットし、ステップＳ４３に戻る。
【０１００】
ステップＳ４３からステップＳ５０までの処理を繰り返し、３回再報知した場合は終了条件に合致し(Ｓ５０でＹＥＳ)、再報知処理を終了し初期状態に戻る。
【０１０１】
なお、本実施の形態では、予め指定識別情報記憶部１２に指定した識別情報と、受信したデータから抽出した識別情報が一致した場合に再報知した。これにかえて、ユーザが最後に送信した相手の識別情報と、受信したデータから抽出した識別情報とが一致した場合に再報知するとしてもよい。これは、携帯無線端末のメール機能をチャットとして使用する(短時間の間で同一相手と複数通のメールを送受信する)場合に有用である。
【０１０２】
なお、受信データが複数となった場合には、最初の受信データを基準として再報知を行なう、あるいは最後の受信データを基準として再報知を行なう、または、指定識別情報に応じて対応する再報知を個別に行なうなど、再報知処理を選択可能としてもよい。
【０１０３】
第１の実施の形態では電話の着信に対して再報知するとし、第２の実施の形態ではメール受信に対して再報知するとした。その他の形態として、電話の着信に対しても、メール受信に対しても再報知するようにしてもよい。また、その際に電話番号とメールアドレスとで異なる再報知動作を使用すると、ユーザは電話の着信があったのか、データ受信があったのかを知ることができる。
【０１０４】
以上説明したように、本実施の形態によれば、データ受信終了から所定時間経過後に再度報知されるため、ユーザは、データ受信時に受信に気づかなかった場合でも、後でデータを受信したことを知ることができる。その結果、データ受信に気づかないまま長時間放置されるのを防止することが可能となる。
【０１０５】
また、ユーザは指定した相手からの受信に対してのみ再報知するよう設定できるため、不要な再報知にわずらわされることがない。
【０１０６】
また、識別情報に複数種類の報知動作のいずれかを関連付けて記憶し、再報知手段は、指定識別情報に関連付けて記憶された報知動作で再報知するため、ユーザは再報知されると、誰からかを知ることができる。
【０１０７】
また、再報知する時間または回数を指定することで、いつまでも再報知されることがない。
【０１０８】
今回開示された実施の形態はすべての点で例示であって制限的なものではないと考えられるべきである。本発明の範囲は、上記した説明ではなくて特許請求の範囲によって示され、特許請求の範囲と均等の意味及び範囲内でのすべての変更が含まれることが意図される。
【図面の簡単な説明】
【０１０９】
【図１】本発明の第１の実施の形態である携帯電話の構成を示すブロック図である。
【図２】第１の実施の形態における報知動作を示すフローチャートである。
【図３】第１の実施の形態における再報知動作を示すフローチャートである。
【図４】本発明の第２の実施の形態である携帯電話の構成を示すブロック図である。
【図５】第２の実施の形態における報知動作を示すフローチャートである。
【図６】第２の実施の形態における再報知動作を示すフローチャートである。
【符号の説明】
【０１１０】
１  アンテナ、２  通信回路部、３  キー入力部、４  開閉状態検出部、５  音声処理部、６  スピーカ、７  マイク、８  表示部、９  振動部、１０  記憶部、１１  識別情報記憶部、１２  指定識別情報記憶部、１３  制御部、１４  ＬＥＤ、１５  受信データ記憶部、１００, １００Ａ  携帯電話。
【図１】
2005150817.tif 000003
【図２】
2005150817.tif 000004
【図３】
2005150817.tif 000005
【図４】
2005150817.tif 000006
【図５】
2005150817.tif 000007
【図６】
2005150817.tif 000008